(57)【要約】      （修正有）【課題】消費者が製品購入時に店頭の店員の手を煩わすことなく消費者自身による簡単な操作で内蓋を取り除くことができる成型容器、および、冷菓材の充填方法を提供する。【解決手段】成型容器１は、容器本体３と内蓋４を備えている。内蓋は、蓋フランジ部４２より連設して形成された連設部４３を備え、蓋フランジ部と連設部とでばね性が付与された係止部４１を形成し、内蓋の外面に少なくとも凸条部４４Ａ〜４４Ｈが形成されているとともに、内蓋の中央に内蓋吸引用の凹所４７が形成されている。容器本体は、容器フランジ部３２から垂下する垂下部３３を備え、垂下部を係止部が係止する受部３１として形成している。【選択図】図１
2018144882.tif 000002
【特許請求の範囲】
【請求項１】
容器本体に冷菓材充填スパウトを用いて容器本体の一部に冷菓材を充填する冷菓材充填工程と、
内蓋投入用治具を用いて内蓋を吸引する内蓋吸引工程と、
吸引した内蓋を冷菓材が充填された容器本体に降下投入する内蓋降下投入工程と、
内蓋を容器本体に係止する内蓋係止工程と、
内蓋係止後に内蓋の吸引を解除し内蓋投入用治具を上昇させる治具上昇工程と、
容器本体の容器フランジ部にシール部材を施し容器開口部及び蓋開口部を封止する開口部封止工程を備えてなることを特徴とする冷菓材の充填方法。
【請求項２】
合成樹脂により形成され、冷菓材を収容可能な容器本体と、合成樹脂により形成され容器本体の内側空間に収容され、容器本体に収容される冷菓材を容器本体とで成型することが可能な内蓋とを備え、容器本体と内蓋は、各開口部に容器フランジ部と蓋フランジ部を有し、内蓋は、中央が下方に向かって突起して形成され、冷菓材充填後に内蓋を容器本体に投入し、冷却後に、内蓋によって冷菓材の中央に添加食材充填スペースを形成することが可能な成型容器に冷菓材を充填する方法であって、
容器本体に冷菓材充填スパウトを用いて容器本体の一部に冷菓材を充填する冷菓材充填工程と、
内蓋投入用治具を用いて内蓋を吸引する内蓋吸引工程と、
吸引した内蓋を冷菓材が充填された容器本体に降下投入する内蓋降下投入工程と、
内蓋を容器本体に係止する内蓋係止工程と、
内蓋係止後に内蓋の吸引を解除し内蓋投入用治具を上昇させる治具上昇工程と、
容器本体の容器フランジ部にシール部材を施し容器開口部及び蓋開口部を封止する開口部封止工程を備えてなることを特徴とする冷菓材の充填方法。
【請求項３】
合成樹脂により形成され、冷菓材を収容可能な容器本体と、合成樹脂により形成され容器本体の内側空間に収容され、容器本体に収容される冷菓材を容器本体とで成型することが可能な内蓋とを備え、容器本体と内蓋は、各開口部に容器フランジ部と蓋フランジ部を有し、内蓋は、中央が下方に向かって突起して形成され、冷菓材充填後に内蓋を容器本体に投入し、冷却後に、内蓋によって冷菓材の中央に添加食材充填スペースを形成することが可能な成型容器に適用され、内蓋は、蓋フランジ部より連設して形成された連設部を備え、蓋フランジ部と連設部とでばね性が付与された係止部を形成し、さらに、内蓋の外面に少なくとも凸条部が形成されているとともに、内蓋の中央に内蓋吸引用の凹所が形成され、容器本体は、容器フランジ部から垂下する垂下部を備え、垂下部を係止部が係止する受部として形成している成型容器に冷菓材を充填する方法であって、
容器本体に冷菓材充填スパウトを用いて容器本体の一部に冷菓材を充填する冷菓材充填工程と、
内蓋投入用治具を用いて内蓋を吸引する内蓋吸引工程と、
吸引した内蓋を冷菓材が充填された容器本体に降下投入する内蓋降下投入工程と、
内蓋を容器本体に係止する内蓋係止工程と、
内蓋係止後に内蓋の吸引を解除し内蓋投入用治具を上昇させる治具上昇工程と、
容器本体の容器フランジ部にシール部材を施し容器開口部及び蓋開口部を封止する開口部封止工程を備えてなることを特徴とする冷菓材の充填方法。
【請求項４】
合成樹脂により形成され、冷菓材を収容可能な容器本体と、合成樹脂により形成され容器本体の内側空間に収容され、容器本体に収容される冷菓材を容器本体とで成型することが可能な内蓋とを備え、容器本体と内蓋は、各開口部に容器フランジ部と蓋フランジ部を有し、内蓋は、中央が下方に向かって突起して形成され、冷菓材充填後に内蓋を容器本体に投入し、冷却後に、内蓋によって冷菓材の中央に添加食材充填スペースを形成することが可能な成型容器に適用され、内蓋は、蓋フランジ部より連設して形成された連設部を備え、蓋フランジ部と連設部とでばね性が付与された係止部を形成し、内蓋の外面に凸条部が形成されているとともに、内蓋の外面に凹条部が形成され、さらに、内蓋の中央に内蓋吸引用の凹所が形成され、容器本体は、容器フランジ部から垂下する垂下部を備え、垂下部を係止部が係止する受部として形成している成型容器に冷菓材を充填する方法であって、
容器本体に冷菓材充填スパウトを用いて容器本体の一部に冷菓材を充填する冷菓材充填工程と、
内蓋投入用治具を用いて内蓋を吸引する内蓋吸引工程と、
吸引した内蓋を冷菓材が充填された容器本体に降下投入する内蓋降下投入工程と、
内蓋を容器本体に係止する内蓋係止工程と、
内蓋係止後に内蓋の吸引を解除し内蓋投入用治具を上昇させる治具上昇工程と、
容器本体の容器フランジ部にシール部材を施し容器開口部及び蓋開口部を封止する開口部封止工程を備えてなることを特徴とする冷菓材の充填方法。
【請求項５】
合成樹脂により形成され、冷菓材を収容可能な容器本体と、合成樹脂により形成され前記容器本体の内側空間に収容され、前記容器本体に収容される冷菓材を前記容器本体とで成型することが可能な内蓋とを備え、前記容器本体と前記内蓋は、各開口部に容器フランジ部と蓋フランジ部を有し、前記内蓋は、中央が下方に向かって突起して形成され、冷菓材充填後に前記内蓋を前記容器本体に投入し、冷却後に、前記内蓋によって冷菓材の中央に添加食材充填スペースを形成することが可能な成型容器であって、
前記内蓋は、前記蓋フランジ部より連設して形成された連設部を備え、前記蓋フランジ部と前記連設部とでばね性が付与された係止部を形成し、さらに、前記内蓋の外面に少なくとも凸条部が形成されているとともに、前記内蓋の中央に内蓋吸引用の凹所が形成され、
前記容器本体は、前記容器フランジ部から垂下する垂下部を備え、該垂下部を前記係止部が係止する受部として形成していることを特徴とする成型容器。
【請求項６】
前記凸条部は、前記内蓋の外面に、等間隔に設けた、上部から底部に達する複数本の稜線部の集合体により形成されていることを特徴とする請求項５に記載の成型容器。
【請求項７】
前記稜線部は、前記受部と前記係止部の係止が解除され冷菓材から前記内蓋が抜ける際の抜け勾配を形成していることを特徴とする請求項６に記載の成型容器。
【請求項８】
前記内蓋の横断面の外周囲形状が正多角形を取るように形成されることを特徴とする請求項７に記載の成型容器。
【請求項９】
前記垂下部を、縦断面形状が逆テーパ状に形成し、前記係止部を構成する前記蓋フランジ部の外周側面と前記受部とが当接し、前記係止部のばねの付勢力により前記受部が拡開し前記受部に前記係止部が係止することを特徴とする請求項８に記載の成型容器。
【請求項１０】
前記連設部が、前記蓋フランジ部より垂下して形成されていることを特徴とする請求項５乃至９いずれか一項に記載の成型容器。
【請求項１１】
さらに、前記内蓋の外面に、等間隔に設けた、上部から底部に達する凹条部が形成されていることを特徴とする請求項５乃至７いずれか一項に記載の成型容器。
【請求項１２】
前記凹条部は、前記内蓋の外面に、等間隔に設けた、上部から底部に達する複数本の谷線部の集合体により形成され、前記谷線部が前記稜線部と交互に形成されていることを特徴とする請求項１１に記載の成型容器。
１
【請求項１３】
前記谷線部と前記稜線部とが、前記受部と前記係止部の係止が解除され冷菓材から前記内蓋が抜ける際の抜け勾配を形成していることを特徴とする請求項１２に記載の成型容器。
【請求項１４】
前記内蓋の横断面の外周囲形状が星型多角形を取るように形成されることを特徴とする請求項１３に記載の成型容器。
【請求項１５】
前記係止部を構成する前記蓋フランジ部の外周側面と前記受部とが当接し、前記係止部のばねの付勢力により前記係止部が前記受部に係止することを特徴とする請求項１４に記載の成型容器。
【請求項１６】
前記連設部が、前記蓋フランジ部より立設して形成されていることを特徴とする請求項１１乃至１５いずれか一項に記載の成型容器。
【発明の詳細な説明】
【技術分野】
【０００１】本発明は、コンビニエンスストア（コンビニ）の店頭、喫茶店、レストランにおいて、フローズン状の飲料（フローズン飲料）を提供するため利用に供する冷菓材氷結用の成型容器、および、冷菓材の充填方法に関するものである。
【背景技術】
【０００２】従来、アイスクリームやシャーベットなどの氷菓に、コーヒー、ミルク、ジュース、アルコールなどの飲料を注ぎ込むための窪み（凹部）を成型することが可能な成型容器が提案されている。このような成型容器によれば、例えば、コンビニのレジ横にあるマシンからコーヒー、ミルク、ジュース、アルコールなどの飲料を、氷菓に成型された窪みに注ぎ込んで、氷菓に混ぜ合わせ仕上げることでセルフ式のフローズン飲料を簡単に提供できる。【０００３】このような成型容器の一例として、例えば、特許文献１には、合成樹脂により形成された有底筒型の容器本体と、容器の上端開口部にその中央が下方に向かって突起したキャップが被せられ、容器本体の内部には原料であるアイスミックスが充填され、キャップを外すと凍結したアイスミックスには凹穿した添加食材充填スペースが形成され、この添加食材充填スペースにコーヒー、ミルク、ジュース、アルコール等を注ぎ込み、凍結しているアイスクリームと混ぜ合わせて利用に供する容器が提案されている。【０００４】また、特許文献２には、アイスクリームやシャーベットなどの冷菓材を収容可能な円筒形状の容器本体と、この容器本体の内側空間に一部が収容され、容器本体の上部に嵌め込まれる逆円錐形状の内蓋とを備え、この内蓋の外面には螺旋状の段差が形成され、さらに内蓋の上側端部に、外側に突出形成された把持部が設けられた樹脂製の成型容器が提案されている。この成型容器によりアイスクリームやシャーベットなどの冷菓材を成型する際、容器本体から内蓋を外し、容器本体の内側空間に凍結前の冷菓材を収容し、次に、内蓋を容器本体に嵌め込んで冷菓材を内蓋の外側に密着させ、内蓋を嵌め込んだ状態の容器本体を冷凍庫などに収容して冷菓材を凍結させ、食するときに内蓋の把持部に指を掛けて内蓋を冷菓材の表面に形成された螺旋状の段差に沿って回転させながら上方に引き抜き、冷菓材に形成される窪みにコーヒー、ジュース、アルコールなどの飲料を注ぎ込み、凍結した冷菓材により飲料を冷却させて氷状に変化させ、冷菓材の一部と混ざり合わせてフローズン飲料を提供している。
【先行技術文献】
【特許文献】
【０００５】
【特許文献１】実用新案登録第２５９０７４３号公報
【特許文献２】特許第５５３６２７３号公報
【発明の概要】
【発明が解決しようとする課題】
【０００６】この種の成型容器としては、少なくとも、次の条件を満たす容器であることが望まれている。
（１）製品製造ラインにおいて、容器本体に冷菓材を注入した後、キャップや内蓋を吸引しながら容器本体に導くことができること；
（２）製品製造ラインにおいて、オーバーキャップ時のキャッピングを保証し有効に行なうため、投入するキャップや内蓋が容器本体に充填されている冷菓材により浮き上がらないこと；
（３）製品購入者（消費者）が製品購入時に店頭の店員の手を煩わすことなく消費者自身による簡単な操作で内蓋を取り除くことができること；
（４）消費者が内蓋を取り除く際に内蓋のエッジで指を切り負傷しないこと；
（５）内蓋と容器本体との係止の解除が容易であり、かつ内蓋が変形しやすく、氷菓（冷菓材）が充填された成型容器を外側から消費者がもみほぐすことにより、氷菓の変形、破断が容易であること；
（６）消費者による容器本体内の冷菓をもみほぐす行為が内蓋を取り除く行為に直結し、内蓋を取り除いた後に速やかにマシンからコーヒー、ミルク、ジュース、アルコールなどの飲料を氷菓の窪みに注ぎ込むと、コーヒー等と冷菓材が直ちに混ざり合いフローズン飲料をすばやく提供できること；【０００７】しかしながら、従来の成型容器にあっては、例えば、次の（１）乃至（５）のおそれがあった。
（１）製造ラインで、氷結前の半液体状の冷菓材にキャップや内蓋を挿入する際にキャップや内蓋が浮力により上昇するとオーバーキャップ時のキャッピングが不能となるので、このことを回避するため容器本体とキャップや内蓋を嵌合させると、消費時に取り除くキャップや内蓋の回転が一層困難になるという不具合が生じる；
（２）冷凍保存下で冷菓材に窪みを成型する際に樹脂成形されたキャップや内蓋が氷結した冷菓（氷菓）と強固に密着し固着するので、消費者（店頭での購買者）が容器本体からキャップや内蓋を引き抜くためキャップや内蓋の把持部をつかんで力を加えてもキャップや内蓋が回転しない場合には手を滑らせると把持部の端（エッジ）で手指を切り負傷するおそれがある；
（３）消費者が手指を切らないように製品購入時に容器本体からキャップや内蓋を外す操作をコンビニ等のレジカウンターにおいて店員が代行すると、清算のために並ぶ消費者の待ち時間が長くなる；
（４）内蓋を氷結前の半液体状の冷菓材に挿入することを内蓋自体の肉厚と外面の螺旋形状の剛性に依存すると内蓋の薄肉化が難しくなり、それに伴い内蓋が変形しにくくなるので、容器本体−冷菓材−内蓋のそれぞれの分離が起こりにくくなり、氷結した冷菓材から内蓋を引き抜くことが一層困難になる；
（５）円錐状の内蓋を回転させながら容器本体から内蓋を引き抜く場合には、内蓋を引き抜いた後に形成される窪み（空間）近傍の冷菓材をあらためてもみほぐして崩さなければ飲料と冷菓材の混ぜ合わせがうまく行なわれない（フローズン飲料の即時提供が難しい）；【０００８】したがって、本発明は上記事情に鑑みてなされたものあり、本発明の目的は、製品製造ラインにおいて、容器本体に冷菓材を注入した後、キャップや内蓋を吸引しながら容器本体に導くことができる成型容器、および、冷菓材の充填方法を提供することにある。【０００９】本発明の他の目的は、製品製造ラインにおいて、投入するキャップや内蓋が容器本体に充填されている冷菓材により浮き上がらす、オーバーキャップ時のキャッピングが有効に行われることを保証する成型容器、および、冷菓材の充填方法を提供することにある。【００１０】本発明のもう一つ他の目的は、製品購入者（消費者）が製品購入時に店頭の店員の手を煩わすことなく消費者自身による簡単な操作で内蓋を取り除くことができる成型容器、および、冷菓材の充填方法を提供することにある。【００１１】本発明のもう一つ他の目的は、消費者が内蓋を取り除く際に内蓋のエッジで指を切り負傷することのない成型容器、および、冷菓材の充填方法を提供することにある。【００１２】本発明のもう一つ他の目的は、内蓋と容器本体との係止の解除が容易であり、かつ内蓋が変形しやすく、氷菓（冷菓材）が充填された成型容器を外側から消費者がもみほぐすことにより、氷菓の変形、破断が容易な成型容器、および、冷菓材の充填方法を提供することにある。【００１３】本発明のさらにもう一つ他の目的は、消費者による容器本体内の冷菓をもみほぐす行為が内蓋を取り除く行為に直結し、内蓋を取り除いた後にただちにマシンからコーヒー、ミルク、ジュース、アルコールなどの飲料を氷菓の窪みに注ぎ込むができ、コーヒー等と冷菓材が直ちに混ざり合いフローズン飲料を速やかに提供できる成型容器、および、冷菓材の充填方法を提供することにある。
【課題を解決するための手段】
【００１４】本発明に係る冷菓材の充填方法は、容器本体に冷菓材充填スパウトを用いて容器本体の一部に冷菓材を充填する冷菓材充填工程と、
内蓋投入用治具を用いて内蓋を吸引する内蓋吸引工程と、
吸引した内蓋を冷菓材が充填された容器本体に降下投入する内蓋降下投入工程と、
内蓋を容器本体に係止する内蓋係止工程と、
内蓋係止後に内蓋の吸引を解除し内蓋投入用治具を上昇させる治具上昇工程と、
容器本体の容器フランジ部にシール部材を施し容器開口部及び蓋開口部を封止する開口部封止工程を備えてなることを特徴とする冷菓材の充填方法である。【００１５】本発明に係る冷菓材の充填方法は、合成樹脂により形成され、冷菓材を収容可能な容器本体と、合成樹脂により形成され容器本体の内側空間に収容され、容器本体に収容される冷菓材を容器本体とで成型することが可能な内蓋とを備え、容器本体と内蓋は、各開口部に容器フランジ部と蓋フランジ部を有し、内蓋は、中央が下方に向かって突起して形成され、冷菓材充填後に内蓋を容器本体に投入し、冷却後に、内蓋によって冷菓材の中央に添加食材充填スペースを形成することが可能な成型容器に冷菓材を充填する方法であって、
容器本体に冷菓材充填スパウトを用いて容器本体の一部に冷菓材を充填する冷菓材充填工程と、
内蓋投入用治具を用いて内蓋を吸引する内蓋吸引工程と、
吸引した内蓋を冷菓材が充填された容器本体に降下投入する内蓋降下投入工程と、
内蓋を容器本体に係止する内蓋係止工程と、
内蓋係止後に内蓋の吸引を解除し内蓋投入用治具を上昇させる治具上昇工程と、
容器本体の容器フランジ部にシール部材を施し容器開口部及び蓋開口部を封止する開口部封止工程を備えてなることを特徴とする冷菓材の充填方法とすることができる。【００１６】また、本発明に係る冷菓材の充填方法は、合成樹脂により形成され、冷菓材を収容可能な容器本体と、合成樹脂により形成され容器本体の内側空間に収容され、容器本体に収容される冷菓材を容器本体とで成型することが可能な内蓋とを備え、容器本体と内蓋は、各開口部に容器フランジ部と蓋フランジ部を有し、内蓋は、中央が下方に向かって突起して形成され、冷菓材充填後に内蓋を容器本体に投入し、冷却後に、内蓋によって冷菓材の中央に添加食材充填スペースを形成することが可能な成型容器に適用され、内蓋は、蓋フランジ部より連設して形成された連設部を備え、蓋フランジ部と連設部とでばね性が付与された係止部を形成し、さらに、内蓋の外面に少なくとも凸条部が形成されているとともに、内蓋の中央に内蓋吸引用の凹所が形成され、容器本体は、容器フランジ部から垂下する垂下部を備え、垂下部を係止部が係止する受部として形成している成型容器に冷菓材を充填する方法であって、
容器本体に冷菓材充填スパウトを用いて容器本体の一部に冷菓材を充填する冷菓材充填工程と、
内蓋投入用治具を用いて内蓋を吸引する内蓋吸引工程と、
吸引した内蓋を冷菓材が充填された容器本体に降下投入する内蓋降下投入工程と、
内蓋を容器本体に係止する内蓋係止工程と、
内蓋係止後に内蓋の吸引を解除し内蓋投入用治具を上昇させる治具上昇工程と、
容器本体の容器フランジ部にシール部材を施し容器開口部及び蓋開口部を封止する開口部封止工程を備えてなることを特徴とする冷菓材の充填方法とすることができる。【００１７】また、本発明に係る冷菓材の充填方法は、合成樹脂により形成され、冷菓材を収容可能な容器本体と、合成樹脂により形成され容器本体の内側空間に収容され、容器本体に収容される冷菓材を容器本体とで成型することが可能な内蓋とを備え、容器本体と内蓋は、各開口部に容器フランジ部と蓋フランジ部を有し、内蓋は、中央が下方に向かって突起して形成され、冷菓材充填後に内蓋を容器本体に投入し、冷却後に、内蓋によって冷菓材の中央に添加食材充填スペースを形成することが可能な成型容器に適用され、内蓋は、蓋フランジ部より連設して形成された連設部を備え、蓋フランジ部と連設部とでばね性が付与された係止部を形成し、内蓋の外面に凸条部が形成されているとともに、内蓋の外面に凹条部が形成され、さらに、内蓋の中央に内蓋吸引用の凹所が形成され、容器本体は、容器フランジ部から垂下する垂下部を備え、垂下部を係止部が係止する受部として形成している成型容器に冷菓材を充填する方法であって、容器本体に冷菓材充填スパウトを用いて容器本体の一部に冷菓材を充填する冷菓材充填工程と、
内蓋投入用治具を用いて内蓋を吸引する内蓋吸引工程と、
吸引した内蓋を冷菓材が充填された容器本体に降下投入する内蓋降下投入工程と、
内蓋を容器本体に係止する内蓋係止工程と、
内蓋係止後に内蓋の吸引を解除し内蓋投入用治具を上昇させる治具上昇工程と、
容器本体の容器フランジ部にシール部材を施し容器開口部及び蓋開口部を封止する開口部封止工程を備えてなることを特徴とする冷菓材の充填方法とすることができる。【００１８】本発明に係る成型容器は、合成樹脂により形成され、冷菓材を収容可能な容器本体と、合成樹脂により形成され前記容器本体の内側空間に収容され、前記容器本体に収容される冷菓材を前記容器本体とで成型することが可能な内蓋とを備え、前記容器本体と前記内蓋は、各開口部に容器フランジ部と蓋フランジ部を有し、前記内蓋は、中央が下方に向かって突起して形成され、冷菓材充填後に前記内蓋を前記容器本体に投入し、冷却後に、前記内蓋によって冷菓材の中央に添加食材充填スペースを形成することが可能な成型容器であって、
前記内蓋は、前記蓋フランジ部より連設して形成された連設部を備え、前記蓋フランジ部と前記連設部とでばね性が付与された係止部を形成し、さらに、前記内蓋の外面に少なくとも凸条部が形成されているとともに、前記内蓋の中央に内蓋吸引用の凹所が形成され、
前記容器本体は、前記容器フランジ部から垂下する垂下部を備え、該垂下部を前記係止部が係止する受部として形成していることを特徴としている。【００１９】前記凸条部は、前記内蓋の外面に、等間隔に設けた、上部から底部に達する複数本の稜線部の集合体により形成することができる。【００２０】前記稜線部は、前記受部と前記係止部の係止が解除され冷菓材から前記内蓋が抜ける際の抜け勾配を形成している。【００２１】前記内蓋の横断面の外周囲形状は正多角形を取るように形成することができる。【００２２】前記垂下部を、縦断面形状が逆テーパ状に形成し、前記係止部を構成する前記蓋フランジ部の外周側面と前記受部とが当接し、前記係止部のばねの付勢力により前記受部が拡開し前記受部に前記係止部が係止するようにするとよい。【００２３】前記連設部を、前記蓋フランジ部より垂下して形成することができる。【００２４】さらに、前記内蓋の外面に、等間隔に設けた、上部から底部に達する凹条部を形成することもできる。【００２５】前記凹条部を、前記内蓋の外面に、等間隔に設けた、上部から底部に達する複数本の谷線部の集合体により形成し、前記谷線部を前記稜線部と交互に形成することができる。【００２６】前記谷線部と前記稜線部とが、前記受部と前記係止部の係止が解除され冷菓材から前記内蓋が抜ける際の抜け勾配を形成している。【００２７】前記内蓋の横断面の外周囲形状は星型多角形を取るように形成することが可能である。【００２８】前記係止部を構成する前記蓋フランジ部の外周側面と前記受部とが当接し、前記係止部のばねの付勢力により前記係止部が前記受部に係止するようにすることができる。【００２９】前記連設部を、前記蓋フランジ部より立設して形成することもできる。
【発明の効果】
【００３０】本発明によれば次の効果を奏する。
（１）製品製造ラインにおいて、容器本体に冷菓材を注入した後、キャップや内蓋を吸引しながら容器本体に導くことができる成型容器、および、冷菓材の充填方法が得られる。
（２）製品製造ラインにおいて、投入するキャップや内蓋が容器本体に充填されている冷菓材により浮き上がらず、オーバーキャップ時のキャッピングが有効に行われることを保証する成型容器、および、冷菓材の充填方法が得られる。
（３）製品購入者（消費者）が製品購入時に店頭の店員の手を煩わすことなく消費者自身による簡単な操作で内蓋を取り除くことができる成型容器、および、冷菓材の充填方法が得られる。
（４）消費者が内蓋を取り除く際に内蓋のエッジで指を切り負傷することのない成型容器、および、冷菓材の充填方法が得られる。
（５）内蓋と容器本体との係止の解除が容易であり、かつ内蓋が変形しやすく、氷菓（冷菓材）が充填された成型容器を外側から消費者がもみほぐすことにより、氷菓の変形、破断が容易である成型容器、および、冷菓材の充填方法が得られる。
（６）消費者による容器本体内の冷菓をもみほぐす行為が内蓋を取り除く行為に直結し、内蓋を取り除いた後にただちにマシンからコーヒー、ミルク、ジュース、アルコールなどの飲料を氷菓の窪みに注ぎ込むができ、コーヒー等と冷菓材が直ちに混ざり合いフローズン飲料を速やかに提供できる成型容器、および、冷菓材の充填方法が得られる。
【図面の簡単な説明】
【００３１】
【図１】本発明に係る冷菓材氷結用の成型容器の第１の実施例を示し、各構成部材を分離した状態を示す斜視図である。
【図２】第１の実施例に示す成型容器の各構成部材を分離した状態を示す正面図である。
【図３】第１の実施例に示す成型容器を構成する内蓋の平面略図である。
【図４】本発明に係る冷菓材の充填方法を示すフロー図である。
【図５】冷菓材充填時の容器本体の概略を示す断面略図である。
【図６】冷菓材が充填された容器本体に、吸引した内蓋を降下投入している際の概略を示す断面略図である。
【図７】冷菓材が充填された容器本体に内蓋が係止している状態を示す断面略図である。
【図８】容器本体と内蓋とが係止している状態を示す要部拡大断面略図である。
【図９】冷菓材を注入し内蓋を容器本体に係止し容器本体及び内蓋の各開口部をシール部材により封止した成型容器のシール部材を開封している状態を示す断面略図である。
【図１０】図９のＸ１−Ｘ１断面略図である。
【図１１】容器本体に充填され氷結した冷菓材を容器本体の外部からもみほぐし喫食の準備をしている状態を示し、容器本体と内蓋が分離した状態を示す略図である。
【図１２】図１１のＸ２−Ｘ２断面略図である。
【図１３】注入飲料充填スパウトを利用し注入飲料を注いでいる状態を示す断面略図である。
【図１４】オーバーキャップとストローをセットした飲料完成品の断面略図である。
【図１５】本発明に係る冷菓材氷結用の成型容器の第２の実施例を示し、各構成部材を分離した状態を示す斜視図である。
【図１６】第２の実施例に示す成型容器の各構成部材を分離した状態を示す正面図である。
【図１７】第２の実施例に示す成型容器を構成する内蓋の平面略図である。
【図１８】冷菓材充填時の容器本体の概略を示す断面略図である。
【図１９】冷菓材が充填された容器本体に、吸引した内蓋を降下投入している際の概略を示す断面略図である。
【図２０】冷菓材が充填された容器本体に内蓋が係止している状態を示す断面略図である。
【図２１】容器本体と内蓋とが係止している状態を示す要部拡大断面略図である。
【図２２】冷菓材を注入し内蓋を容器本体に係止し容器本体及び内蓋の各開口部をシール部材により封止した成型容器のシール部材を開封している状態を示す断面略図である。
【図２３】図２２のＸ３−Ｘ３断面略図である。
【図２４】容器本体に充填され氷結した冷菓材を容器本体の外部からもみほぐし喫食の準備をしている状態を示し、容器本体と内蓋が分離した状態を示す略図である。
【図２５】図２４のＸ４−Ｘ４断面略図である。
【発明を実施するための形態】
【実施例】
【００３２】以下、実施例について、図面とともに説明する。
（第１の実施例）
先ず、本発明が提供する成型容器の第１の実施例について添付図面とともに説明する。
図１〜図３．図８〜図１２において、成型容器１は、合成樹脂により形成され、冷菓材１００を収容可能な容器本体３と、合成樹脂により形成され、前記容器本体の内側空間に収容され、前記容器本体に収容される冷菓材を前記容器本体とで成型することが可能な内蓋４を備えている。符号２はシール部材である。【００３３】前記容器本体３と前記内蓋４は、各開口部３０，４０に容器フランジ部３２と蓋フランジ部４２を有している。【００３４】前記内蓋４は、中央が下方に向かって突起して形成され、冷菓材充填後に前記内蓋を前記容器本体に投入し、冷却後に、前記内蓋によって冷菓材の中央に添加食材充填スペースを形成する。【００３５】前記内蓋４は、前記蓋フランジ部４２に連設して形成された連設部４３を備え、前記蓋フランジ部と前記連設部とでばね性が賦与された係止部４１を形成する。さらに、前記内蓋４の外面には、凸条部４４（４４Ａ〜４４Ｈ）が形成されているとともに、前記内蓋の中央に内蓋吸引用の凹所４７が形成されている（図８参照）。【００３６】前記容器本体３は、前記容器フランジ部３２から垂下する垂下部３３を備え、該垂下部を前記係止部４１が係止する受部３１として形成する。【００３７】前記凸条部４４は、前記内蓋４の外面に、等間隔に設けた、上部から底部に達する複数本の稜線部４４Ａ〜４４Ｈの集合体により形成されている。かくして、前記内蓋４の横断面の外周囲形状は正多角形を取るように形成されている。【００３８】前記稜線部４４Ａ〜４４Ｈは、前記受部３１と前記係止部４１の係止が解除され冷菓材１００から前記内蓋４が抜ける際の抜け勾配を形成する。【００３９】前記垂下部３３は、縦断面形状が逆テーパ状に形成され、前記係止部４１を構成する前記蓋フランジ部４２の外周側面と前記受部３１とが当接し、前記係止部４１のばねの付勢力により前記受部３１は拡開し前記受部３１に前記係止部４１は係止する（図８参照）。【００４０】前記連設部４３は、前記蓋フランジ部４２より垂下して形成されている。【００４１】容器本体における容器フランジ部の直下の内側周壁に蓋フランジ部の外側周が当接し係止して内蓋の浮上が抑えられる。内蓋に把持部が不要となり把持部を形成する材料が省略でき成型容器のコストダウンに繋がる。オーバーキャップよりも安価なシール２を使って、より安全な封止と開封が行われる。【００４２】店頭での購入時において、店員が操作することなく消費者に冷菓材（氷菓）が充填された製品を渡すことができ、繁忙時における店頭レジでの清算待ち時間が短縮される。【００４３】内蓋の外周面の垂直方向に少なくとも凸条部を形成して剛性を持ち、また、内蓋の横断面（径方向の断面）の外周囲形状が正多角形を取るように形成して内蓋を変形容易とする。内蓋は必要十分な剛性を保って薄肉化して形成でき、内蓋を半液体状の冷菓材に挿入することを容易とするとともに、氷結後も変形しやすく、内蓋を成型容器から引き抜かず冷菓材が充填された成型容器ごと外部からもみほぐす動作を加えることにより容器本体と内蓋との係止が解除され内蓋は分離される。内蓋と容器本体との係止の解除が容易であり、かつ内蓋が変形しやすく、氷菓（冷菓材）が充填された成型容器を外側から消費者がもみほぐすことにより、氷菓の変形、破断が容易に行われる。【００４４】すなわち、樹脂成形された容器本体を介して冷菓材にもみほぐす動作を加えることで、容器本体と冷菓材にひずみ４８が生じ、さらに、冷菓材と内蓋にひずみ４９が生じ、容器本体と内蓋の係止が解除され容器本体から内蓋が抜ける。内蓋を回転させる動作が不要となり消費者が手指を切るおそれがなくなる（図１２参照）。【００４５】上記のとおり、樹脂成形された成型容器に冷菓材をもみほぐす動作を加えるだけで容器本体と内蓋の係止が解除され、内蓋の外周面に形成される凸条部、凹状部が容器本体から内蓋が抜ける機構を構成する。内蓋を変形しやすい略錐状に形成するとともに、内蓋の横断面の外周囲形状を正多角形に形成し、この凸条部を介して冷菓材が変形、破断し、内蓋を取り除いた後にあらためて冷菓材をもみほぐす動作を加えることなく直ちに飲料を注入するだけで飲料と冷菓材とがうまく混ざり合う。【００４６】  （第２の実施例）
内蓋の変形例として、内蓋の外面に、等間隔に設けた、上部から底部に達する凹条部をさらに設け、この凹条部を、複数本の谷線部の集合体により形成するとともに、前記谷線部を前記稜線部と交互に形成し、前記谷線部と前記稜線部とが、前記受部と前記係止部の係止が解除された際の冷菓材からの前記内蓋の抜け勾配を形成するようにすることも可能である。【００４７】図１５〜図２５において、成型容器が、
（１）合成樹脂により形成され、冷菓材を収容可能な容器本体３と、合成樹脂により形成され容器本体の内側空間に収容され、容器本体に収容される冷菓材を前記容器本体とで成型することが可能な内蓋１０４とを備えている点：
（２）容器本体と内蓋は、各開口部に容器フランジ部３２と蓋フランジ部１４２を有し、内蓋は、中央が下方に向かって突起して形成され、冷菓材充填後に内蓋を容器本体に投入し、冷却後に、前記内蓋によって冷菓材の中央に添加食材充填スペースが形成される点；
（３）内蓋は、内蓋フランジ部１４２より連設して形成された連設部１４３を備え、蓋フランジ部１４２と連設部１４３とでばね性が付与された係止部１４１を形成している点；
（４）内蓋の外面に凸条部１４４が形成され、前記内蓋の中央に吸引用の凹所１４７が形成され、容器本体は、容器フランジ部３２から垂下する垂下部３３を備え、垂下部が係止部１４１に係止する受部３１を構成している点；
（５）凸条部を、内蓋の外面に、等間隔に設けた、上部から底部に達する複数本の稜線部の集合体により形成し、稜線部は、受部と係止部の係止が解除され冷菓材から内蓋の抜け際の抜け勾配を形成している点；
（６）前記係止部を構成する蓋フランジ部１４２の外周側面と受部とが当接し、係止部のばねの付勢力により係止部１４１が受部に係止する点；
（７）樹脂成形された容器本体を介して冷菓材にもみほぐす動作を加えることで、容器本体と冷菓材にひずみ１４８が生じ、さらに、冷菓材と内蓋にひずみ１４９が生じ、容器本体と内蓋の係止が解除され容器本体から内蓋が抜ける点；
の（１）〜（７）は第１の実施例と同じであるが、
（８）さらに、内蓋の外面に、等間隔に設けた、上部から底部に達する凹条部１４５を形成した点；
（９）凹条部を、内蓋の外面に、等間隔に設けた、上部から底部に達する複数本の谷線部の集合体により形成し、谷線部を稜線部と交互に形成し、谷線部と稜線部とは、係止受部と係止部の係止が解除され冷菓材から内蓋が抜ける際の抜け勾配を形成する点；
（１０）内蓋の横断面の外周囲形状が星型多角形を取るように形成されている点；
（１１）連接部が、蓋フランジ部より立設して形成されている点；
の（８）〜（１１）が第１の実施例と異なる。【００４８】しかして、冷菓材を氷結し氷菓として収容した成型容器に対し、コンビニの店頭、喫茶店、レストランなどにおいて、消費者自身が容器本体内の冷菓をもみほぐす行為を行えば内蓋を取り除けるため、マシンからコーヒー、ミルク、ジュース、アルコールなどの飲料を氷菓の窪みに注ぎ込めばコーヒー等と冷菓材は直ちに混ざり合いフローズン飲料を速やかに提供できる。【００４９】冷菓材の充填方法について：
次に、本発明が提供する冷菓材の充填方法の実施例について添付図面とともに説明する。上記の実施例１、実施例２に示す成形容器に好適に用いることができるが、ここでは、上記の実施例１に示した成型容器、すなわち、合成樹脂により形成され、冷菓材を収容可能な容器本体と、合成樹脂により形成され前記容器本体の内側空間に収容され、前記容器本体に収容される冷菓材を前記容器本体とで成型することが可能な内蓋とを備え、前記容器本体と前記内蓋は、各開口部に容器フランジ部と蓋フランジ部を有し、前記内蓋は、中央が下方に向かって突起して形成され、冷菓材充填後に前記内蓋を前記容器本体に投入し、冷却後に、前記内蓋によって冷菓材の中央に添加食材充填スペースを形成することが可能な成型容器に適用され、前記内蓋は、前記蓋フランジ部より連設して形成された連設部を備え、前記蓋フランジ部と前記連設部とでばね性が付与された係止部を形成し、さらに、前記内蓋の外面に少なくとも凸条部が形成されているとともに、前記内蓋の中央に内蓋吸引用の凹所が形成され、前記容器本体は、前記容器フランジ部から垂下する垂下部を備え、該垂下部を前記係止部が係止する受部として形成している成型容器に冷菓材を充填する方法について説明する。【００５０】図４乃至図７、図１８及び図１９において、冷菓材の充填方法では、容器本体３に冷菓材充填スパウト１５０を用いて容器本体の一部に冷菓材１００を充填する冷菓材充填工程と、
内蓋投入用治具１６０を用いて内蓋４，１０４を吸引する内蓋吸引工程と、
吸引した内蓋を冷菓材が充填された容器本体に降下投入する内蓋降下投入工程と、
内蓋を容器本体に係止する内蓋係止工程と、
内蓋係止後に内蓋の吸引を解除し内蓋投入用治具を上昇させる治具上昇工程と、
容器本体の容器フランジ部にシール部材２を施し容器開口部３０及び蓋開口部４０，１４０を封止する開口部封止工程を経て行われる。【００５１】氷結された成型容器の使用方法について：
さらに、冷菓材氷結用容器の使用方法について、添付図面とともに説明する。【００５２】図９乃至図１４、図２２及び図２５において、冷菓材（氷菓）１００が充填された成型容器のシール部材２を開封する（図９、図２２）。利用者が容器本体２を正立させて両手４０１、４０２により容器本体ごともみほぐすと、容器本体と冷菓材にひずみが生じ、さらに、冷菓材と内蓋にひずみが生じ、容器本体と内蓋の係止が解除され容器本体から内蓋が抜ける（図１１、図２４参照）。氷菓の上に生じた円錐状空間部に、店舗設置された注入飲料充填スパウト１７０から供給される注入飲料２００を注入することにより利用者の使用に供されるフローズン飲料が提供される。内蓋と容器本体との係止の解除が容易であり、かつ内蓋が変形しやすく、氷菓（冷菓材）が充填された成型容器を外側から消費者がもみほぐすことにより、氷菓の変形、破断が容易に行われる。
【符号の説明】
【００５３】    １        成型容器
２        シール部材
３        容器本体
４        内蓋
３０        容器開口部
３１        受部
３２        容器フランジ部
３３        垂下部
４０        蓋開口部
４１        係止部
４２        蓋フランジ部
４３        連設部
４４        凸条部
４７        凹所
４８        ひずみ
４９        ひずみ
８０        オーバーキャップ
９０        ストロー
１００        冷菓材（氷菓）
１０４        内蓋
１４０        蓋開口部
１４１        係止部
１４２        蓋フランジ部
１４３        蓋連設部
１４４        凸条部
１４５        凹条部
１４７        凹所
１４８        ひずみ
１４９        ひずみ
１５０        冷菓材充填スパウト
１６０        内蓋投入用治具
１７０        注入飲料充填スパウト
２００        注入飲料
３００        飲料完成品
【図１】
2018144882.tif 000003
【図２】
2018144882.tif 000004
【図３】
2018144882.tif 000005
【図４】
2018144882.tif 000006
【図５】
2018144882.tif 000007
【図６】
2018144882.tif 000008
【図７】
2018144882.tif 000009
【図８】
2018144882.tif 000010
【図９】
2018144882.tif 000011
【図１０】
2018144882.tif 000012
【図１１】
2018144882.tif 000013
【図１２】
2018144882.tif 000014
【図１３】
2018144882.tif 000015
【図１４】
2018144882.tif 000016
【図１５】
2018144882.tif 000017
【図１６】
2018144882.tif 000018
【図１７】
2018144882.tif 000019
【図１８】
2018144882.tif 000020
【図１９】
2018144882.tif 000021
【図２０】
2018144882.tif 000022
【図２１】
2018144882.tif 000023
【図２２】
2018144882.tif 000024
【図２３】
2018144882.tif 000025
【図２４】
2018144882.tif 000026
【図２５】
2018144882.tif 000027